(57)【要約】【課題】  所望の信号レベルを得ることを可能とするアンテナ装置を提供することを目的とする。【解決手段】  第１のアンテナグループ２に属する第１のアンテナ２ａと第２のアンテナ２ｂとは相関の高い信号を送受信することが可能であるように配置され、第２のアンテナグループ８に属する第３のアンテナ８ａと第４のアンテナ８ｂも同様に配置される。第１のアンテナグループ２および第２のアンテナグループ８は互いに低い相関の信号が得られるように配置される。第１のアンテナ２ａと第３のアンテナ８ａ夫々が受信する電波の受信レベル値を比較し、第１のアンテナ２ａが受信する受信レベル値の方が大きい場合、第１のアンテナグループ２のアンテナ群を使用し、第３のアンテナ８ａが受信する受信レベル値の方が大きい場合、第２のアンテナグループ８のアンテナ群を使用する。【選択図】  図１
2005167371.tif 000002
【特許請求の範囲】
【請求項１】
第１のアンテナおよび前記第１のアンテナとの相関が高い第２のアンテナを有する第１のアンテナグループと、
第３のアンテナおよび前記第３のアンテナとの相関が高い第４のアンテナを有するとともに前記第１のアンテナグループとの相関が低い第２のアンテナグループと、
前記第１のアンテナと前記第３のアンテナとの切替を行う第１のスイッチと、
前記第２のアンテナと前記第４のアンテナとの切替を行う第２のスイッチと、
前記第１のスイッチに接続されるアンテナが受信する電波の受信レベルを検出する第１の受信レベル検出部と、
前記第２のスイッチに接続されるアンテナが受信する電波の受信レベルを検出する第２の受信レベル検出部と、
前記第１の受信レベル検出部にて検出された受信レベル値と前記第２の受信レベル検出部にて検出された受信レベル値とを比較し、比較した結果に基いて前記第１のスイッチおよび前記第２のスイッチの切替を制御する切替制御部と、
を具備することを特徴とするアンテナ装置。
【請求項２】
前記第１のスイッチに接続されるアンテナが受信する電波の位相を調整する第１の位相調整部と、
前記第２のスイッチに接続されるアンテナが受信する電波の位相を前記第１の位相調整部によって調整された位相に基いて調整する第２の位相調整部と、
前記第１の位相調整部によって位相が調整された電波と前記第２の位相調整部によって位相が調整された電波とを合成することで生成される信号を処理する信号処理部と、
前記信号処理部において生成された送信信号を送信するために前記切替制御部によって前記第１のアンテナまたは前記第３のアンテナの何れか一つのアンテナに切替える第３のスイッチと、
を具備することを特徴とする請求項１記載のアンテナ装置。
【請求項３】
第１のアンテナおよび前記第１のアンテナとの相関が高い第２のアンテナを有する第１のアンテナグループと、
第３のアンテナおよび前記第３のアンテナとの相関が高い第４のアンテナを有するとともに前記第１のアンテナグループとの相関が低い第２のアンテナグループと、
前記第１のアンテナと前記第３のアンテナとの切替を行う第１のスイッチと、
前記第２のアンテナと前記第４のアンテナとの切替を行う第２のスイッチと、
前記第１のスイッチに接続されるアンテナが受信する電波の受信レベルを検出する第１の受信レベル検出部と、
前記第１の受信レベル検出部にて検出された受信レベル値を比較し、比較した結果に基いて前記第１のスイッチおよび前記第２のスイッチの切替を制御する切替制御部と、
を具備することを特徴とするアンテナ装置。
【請求項４】
前記第１のスイッチに接続されるアンテナが受信する電波の位相を調整する第１の位相調整部と、
前記第２のスイッチに接続されるアンテナが受信する電波の位相を前記第１の位相調整部によって調整された位相に基いて調整する第２の位相調整部と、
前記第１の位相調整部によって位相が調整された電波と前記第２の位相調整部によって位相が調整された電波とを合成することで生成される信号を処理する信号処理部と、
前記信号処理部において生成された送信信号を送信するために前記切替制御部によって前記第１のアンテナまたは前記第３のアンテナの何れか一つのアンテナに切替える第３のスイッチと、
を具備することを特徴とする請求項３記載のアンテナ装置。
【請求項５】
前記第１のスイッチに接続されるアンテナが受信する電波と前記第２のスイッチに接続されるアンテナが受信する電波とを合成する合成部と、
前記合成部によって合成された電波を送信するために前記切替制御部によって前記第１のアンテナまたは前記第３のアンテナの何れか一つのアンテナに切替える第３のスイッチと、
を具備することを特徴とする請求項３記載のアンテナ装置。
【請求項６】
第１のアンテナと前記第１のアンテナとの相関が高い第２のアンテナとを有する第１のアンテナグループと、
第３のアンテナと前記第３のアンテナとの相関が高い第４のアンテナとを有するともに前記第１のアンテナグループとの相関が低い第２のアンテナグループと、
前記第１のアンテナが受信した電波の第１の受信レベル値と前記第２のアンテナが受信した電波の第２の受信レベル値とを所定の受信レベル値と比較する第１の受信レベル比較手段と、
前記第１の受信レベル比較手段によって比較した結果、第１の受信レベル値と第２の受信レベル値とが前記所定の受信レベル値よりも小さい場合、前記第１のアンテナが受信した電波の第１の受信レベル値と前記第３のアンテナが受信した電波の第３の受信レベル値とを比較する第２のの受信レベル比較手段と、
前記第２の受信レベル比較手段によって比較した結果、前記第３の受信レベル値が前記第１の受信レベル値よりも大きい場合、前記第３のアンテナと前記第４のアンテナとを用いて電波を受信することを特徴とする電子機器。
【請求項７】
前記第１の受信レベル比較手段によって比較した結果、第１の受信レベル値と第２の受信レベル値とが前記所定の受信レベル値よりも大きい場合、前記第１のアンテナと前記第２のアンテナとを用いて電波を受信することを特徴とする請求項６記載の電子機器。
【請求項８】
前記第２の受信レベル比較手段によって比較した結果、前記第３の受信レベル値が前記第１の受信レベル値よりも小さい場合、前記第１のアンテナと前記第２のアンテナとを用いて電波を受信することを特徴とする請求項６記載の電子機器。
【請求項９】
前記第１の受信レベル比較手段によって第１の受信レベル値と第２の受信レベル値とを比較した回数が所定の回数よりも大きい場合、前記第２の受信レベル比較手段によって第１の受信レベル値と第３の受信レベル値とを比較することを特徴とする請求項６記載の電子機器。
【請求項１０】
前記第１の受信レベル比較手段は第１の電波受信期間に実行され、
前記第２の受信レベル比較手段は前記第１の電波受信期間よりも後の第２の電波受信期間に実行され、
前記第２のアンテナから前記第３のアンテナへの切替は前記第２の電波受信期間が開始される前に行われることを特徴とする請求項６記載の電子機器。
【請求項１１】
第１のアンテナおよび前記第１のアンテナとの相関が高い第２のアンテナを有する第１のアンテナグループと、
第３のアンテナおよび前記第３のアンテナとの相関が高い第４のアンテナを有するとともに、前記第１のアンテナグループとの相関が低い第２のアンテナグループと、
前記第１のアンテナと前記第３のアンテナとの切替を行う第１のスイッチと、
前記第２のアンテナと前記第４のアンテナとの切替を行う第２のスイッチと、
前記第１のスイッチに接続されるアンテナが受信する電波の受信レベルを検出する第１の受信レベル検出部と、
前記第２のスイッチに接続されるアンテナが受信する電波の受信レベルを検出する第２の受信レベル検出部と、
前記第１の受信レベル検出部にて検出された受信レベル値と前記第２の受信レベル検出部にて検出された受信レベル値とを比較し、比較した結果に基いて前記第１のスイッチおよび前記第２のスイッチの切替を制御する切替制御部と、
を具備することを特徴とする電子機器。
【請求項１２】
前記第１のスイッチに接続されるアンテナが受信する電波の位相を調整する第１の位相調整部と、
前記第２のスイッチに接続されるアンテナが受信する電波の位相を前記第１の位相調整部によって調整された位相に基いて調整する第２の位相調整部と、
前記第１の位相調整部によって位相が調整された電波と前記第２の位相調整部によって位相が調整された電波とを合成することで生成される信号を処理する信号処理部と、
前記信号処理部において生成された送信信号を送信するために前記切替制御部によって前記第１のアンテナまたは前記第３のアンテナの何れか一つのアンテナに切替える第３のスイッチと、
を具備することを特徴とする請求項１１記載の電子機器。
【請求項１３】
第１のアンテナと前記第１のアンテナとの相関が高い第２のアンテナとを有する第１のアンテナグループと、
第３のアンテナと前記第３のアンテナとの相関が高い第４のアンテナとを有するとともに第１のアンテナグループとの相関が低い第２のアンテナグループと、
前記第１のアンテナが受信した電波の第１の受信レベル値と前記第３のアンテナが受信した電波の第２の受信レベル値とを比較する受信レベル比較手段と、
前記受信レベル比較手段によって比較した結果、前記第１の受信レベル値が前記第２の受信レベル値よりも大きい場合、前記第１のアンテナと前記第２のアンテナとを用いて電波を受信することを特徴とする電子機器。
【請求項１４】
前記受信レベル比較手段によって比較した結果、前記第１の受信レベル値が前記第２の受信レベル値よりも小さい場合、前記第３のアンテナと前記第４のアンテナとを用いて電波を受信することを特徴とする請求項１３記載の電子機器。
【請求項１５】
前記受信レベル比較手段は、
前記第１のアンテナを選択して前記第１の受信レベル値を記憶する第１の記憶手段と、
前記第１の記憶手段によって前記第１の受信レベル値を記憶した後、前記第３のアンテナを選択して前記第２の受信レベル値を記憶する第２の記憶手段と、
前記第１の記憶手段によって記憶した前記第１の受信レベル値と前記第２の記憶手段によって記憶した前記第２の受信レベル値とを比較する受信レベル比較手段とを含むことを特徴とする請求項１３記載の電子機器。
【請求項１６】
前記第１の記憶手段は、
第１の電波受信期間に前記第１の受信レベル値を記憶する手段を含み、
前記第２の記憶手段は、
前記第１の電波受信期間の後の第２の電波受信期間に前記第２の受信レベル値を記憶する手段を含み、
前記第３のアンテナの選択は前記第２の電波受信期間が開始される前に実行されることを特徴とする請求項１５記載の電子機器。
【請求項１７】
第１のアンテナおよび前記第１のアンテナとの相関が高い第２のアンテナを有する第１のアンテナグループと、
第３のアンテナおよび前記第３のアンテナとの相関が高い第４のアンテナを有するとともに前記第１のアンテナグループとの相関が低い第２のアンテナグループと、
前記第１のアンテナと前記第３のアンテナとの切替を行う第１のスイッチと、
前記第２のアンテナと前記第４のアンテナとの切替を行う第２のスイッチと、
前記第１のスイッチに接続されるアンテナが受信する電波の受信レベルを検出する第１の受信レベル検出部と、
前記第１の受信レベル検出部にて検出された受信レベル値を比較し、比較した結果に基いて前記第１のスイッチおよび前記第２のスイッチの切替を制御する切替制御部と、
を具備することを特徴とする電子機器。
【請求項１８】
前記第１のスイッチに接続されるアンテナが受信する電波の位相を調整する第１の位相調整部と、
前記第２のスイッチに接続されるアンテナが受信する電波の位相を前記第１の位相調整部によって調整された位相に基いて調整する第２の位相調整部と、
前記第１の位相調整部によって位相が調整された電波と前記第２の位相調整部によって位相が調整された電波とを合成することで生成される信号を処理する信号処理部と、
前記信号処理部において生成された送信信号を送信するために前記切替制御部によって前記第１のアンテナまたは前記第３のアンテナの何れか一つのアンテナに切替える第３のスイッチと、
を具備することを特徴とする請求項１７記載の電子機器。
【請求項１９】
前記第１のスイッチに接続されるアンテナが受信する電波と前記第２のスイッチに接続されるアンテナが受信する電波とを合成する合成部と、
前記合成部によって合成された電波を送信するために前記切替制御部によって前記第１のアンテナまたは前記第３のアンテナの何れか一つのアンテナに切替える第３のスイッチと、
を具備することを特徴とする請求項１７記載の電子機器。
【請求項２０】
第１のアンテナと前記第１のアンテナとの相関が高い第２のアンテナとを有する第１のアンテナグループと、第３のアンテナと前記第３のアンテナとの相関が高い第４のアンテナとを有するともに前記第１のアンテナグループとの相関が低い第２のアンテナグループとを有する電子機器において行われるアンテナ切替方法において、
前記第１のアンテナが受信した電波の第１の受信レベル値と前記第２のアンテナが受信した電波の第２の受信レベル値とを所定の受信レベル値と比較する第１の受信レベル比較ステップと、
前記第１の受信レベル比較ステップによって比較した結果、第１の受信レベル値と第２の受信レベル値とが前記所定の受信レベル値よりも小さい場合、前記第１のアンテナが受信した電波の第１の受信レベル値と前記第３のアンテナが受信した電波の第３の受信レベル値とを比較する第２のの受信レベル比較ステップと、
前記第２の受信レベル比較ステップによって比較した結果、前記第３の受信レベル値が前記第１の受信レベル値よりも大きい場合、前記第３のアンテナと前記第４のアンテナとを用いて電波を受信するステップと、
を有することを特徴とするアンテナ切替方法。
【請求項２１】
前記第１の受信レベル比較ステップによって比較した結果、第１の受信レベル値と第２の受信レベル値とが前記所定の受信レベル値よりも大きい場合、前記第１のアンテナと前記第２のアンテナとを用いて電波を受信するステップと、
をさらに有することを特徴とする請求項２０記載のアンテナ切替方法。
【請求項２２】
前記第２の受信レベル比較ステップによって比較した結果、前記第３の受信レベル値が前記第１の受信レベル値よりも小さい場合、前記第１のアンテナと前記第２のアンテナとを用いて電波を受信するステップと、
をさらに有することを特徴とする請求項２０記載のアンテナ切替方法。
【請求項２３】
第１のアンテナと前記第１のアンテナとの相関が高い第２のアンテナとを有する第１のアンテナグループと、第３のアンテナと前記第３のアンテナとの相関が高い第４のアンテナとを有するとともに第１のアンテナグループとの相関が低い第２のアンテナグループとを有する電子機器において行われるアンテナ切替方法において、
前記第１のアンテナが受信した電波の第１の受信レベル値と前記第３のアンテナが受信した電波の第２の受信レベル値とを比較する受信レベル比較ステップと、
前記受信レベル比較ステップによって比較した結果、前記第１の受信レベル値が前記第２の受信レベル値よりも大きい場合、前記第１のアンテナと前記第２のアンテナとを用いて電波を受信するステップと、
を有することを特徴とするアンテナ切替方法。
【請求項２４】
前記受信レベル比較ステップによって比較した結果、前記第１の受信レベル値が前記第２の受信レベル値よりも小さい場合、前記第３のアンテナと前記第４のアンテナとを用いて電波を受信するステップと、
をさらに有することを特徴とする請求項２３記載のアンテナ切替方法。
【請求項２５】
前記受信レベル比較ステップは、
前記第１のアンテナを選択して前記第１の受信レベル値を記憶する第１の記憶ステップと、
前記第１の記憶ステップによって前記第１の受信レベル値を記憶した後、前記第３のアンテナを選択して前記第２の受信レベル値を記憶する第２の記憶ステップと、
前記第１の記憶ステップによって記憶した前記第１の受信レベル値と前記第２の記憶ステップによって記憶した前記第２の受信レベル値とを比較する受信レベル比較ステップとを含むことを特徴とする請求項２３記載のアンテナ切替方法。
【発明の詳細な説明】
【技術分野】
【０００１】
本発明は、本発明は、ダイバシティ方法に関し、特に、所望の利得を得ることが可能なダイバシティ方法に関する。
【背景技術】
【０００２】
従来より、複数のアンテナを用いるダイバシティ方法に関する技術として、複数のアンテナの夫々で受信された電波の信号を同位相にし、さらに合成することで、より大きな信号レベルを得る等利得合成方式のダイバシティ方法に関する技術があった。この技術に関連する技術を開示する特許文献として、複数のアンテナと接続される包絡線検出部が、包絡線のレベルが高いアンテナからの受信出力を位相検出部および移相器に供給し、位相検出部において検出された位相差に基づいて移相器により移相されることで位相が一致したアンテナからの受信信号を増幅器でゲインを調整し、さらに合成部にて合成する、という技術内容を開示した特許文献があった（特許文献１参照。）。
【特許文献１】特開平９−３０７４９１号公報（第３頁、第１図）
【発明の開示】
【発明が解決しようとする課題】
【０００３】
しかしながら、等利得合成方式のダイバシティ方法において複数のアンテナの受信信号が同時に低くなると、これらの受信信号を合成しても所望の信号レベルを得ることができない場合がある。
【０００４】
そこで、本発明は所望の信号レベルを得ることを可能とするアンテナ装置を提供することを目的とする。
【課題を解決するための手段】
【０００５】
上記目的を達成するために、請求項１に係る発明では、第１のアンテナおよび第１のアンテナとの相関が高い第２のアンテナを有する第１のアンテナグループと、第３のアンテナおよび第３のアンテナとの相関が高い第４のアンテナを有するとともに第１のアンテナグループとの相関が低い第２のアンテナグループと、第１のアンテナと第３のアンテナとの切替を行う第１のスイッチと、第２のアンテナと第４のアンテナとの切替を行う第２のスイッチと、第１のスイッチに接続されるアンテナが受信する電波の受信レベルを検出する第１の受信レベル検出部と、第２のスイッチに接続されるアンテナが受信する電波の受信レベルを検出する第２の受信レベル検出部と、第１の受信レベル検出部にて検出された受信レベル値と第２の受信レベル検出部にて検出された受信レベル値とを比較し、比較した結果に基いて第１のスイッチおよび第２のスイッチの切替を制御する切替制御部とを具備するアンテナ装置であることを特徴とする。
【０００６】
また、上記目的を達成するために、請求項６に係る発明では、第１のアンテナと第１のアンテナとの相関が高い第２のアンテナとを有する第１のアンテナグループと、第３のアンテナと第３のアンテナとの相関が高い第４のアンテナとを有するともに第１のアンテナグループとの相関が低い第２のアンテナグループと、第１のアンテナが受信した電波の第１の受信レベル値と第２のアンテナが受信した電波の第２の受信レベル値とを所定の受信レベル値と比較する第１の受信レベル比較手段と、第１の受信レベル比較手段によって比較した結果、第１の受信レベル値と第２の受信レベル値とが前記所定の受信レベル値よりも小さい場合、第１のアンテナが受信した電波の第１の受信レベル値と第３のアンテナが受信した電波の第３の受信レベル値とを比較する第２のの受信レベル比較手段と、第２の受信レベル比較手段によって比較した結果、第３の受信レベル値が第１の受信レベル値よりも大きい場合、第３のアンテナと前記第４のアンテナとを用いて電波を受信する電子機器であることを特徴とする。
【０００７】
また、上記目的を達成するために、請求項６に係る発明では、第１のアンテナと第１のアンテナとの相関が高い第２のアンテナとを有する第１のアンテナグループと、第３のアンテナと第３のアンテナとの相関が高い第４のアンテナとを有するともに前記第１のアンテナグループとの相関が低い第２のアンテナグループとを有する電子機器において行われるアンテナ切替方法において、第１のアンテナが受信した電波の第１の受信レベル値と第２のアンテナが受信した電波の第２の受信レベル値とを所定の受信レベル値と比較する第１の受信レベル比較ステップと、第１の受信レベル比較ステップによって比較した結果、第１の受信レベル値と第２の受信レベル値とが所定の受信レベル値よりも小さい場合、第１のアンテナが受信した電波の第１の受信レベル値と第３のアンテナが受信した電波の第３の受信レベル値とを比較する第２のの受信レベル比較ステップと、第２の受信レベル比較ステップによって比較した結果、第３の受信レベル値が第１の受信レベル値よりも大きい場合、第３のアンテナと第４のアンテナとを用いて電波を受信するステップとを有するアンテナ切替方法であることを特徴とする。
【発明の効果】
【０００８】
本発明によれば、所望の信号レベルを得ることが可能となる。
【発明を実施するための最良の形態】
【０００９】
以下、本発明に係る実施の形態を、図面を参照して説明する。
【００１０】
図１は、本発明の第１の実施の形態に係るダイバシティアンテナ装置の構成を示すシステムブロック図である。
【００１１】
ダイバシティアンテナ装置１は、第１のアンテナグループ２、第１のスイッチ３、第１の受信部４、第１の位相器５、第１の受信レベル検出器６、切替制御部７、第２のアンテナグループ８、第２のスイッチ９、第２の受信部１０、第２の位相器１１、第２の受信レベル検出器１２、合成器１３、信号処理部１４、送信部１５、および第３のスイッチ１６で構成されている。
【００１２】
ダイバシティアンテナ装置１の有するアンテナは、第１のアンテナグループ２と第２のアンテナグループ８とに分けられる。第１のアンテナグループ２は第１のアンテナ２ａと第２のアンテナ２ｂとを有し、第２のアンテナグループ８は第３のアンテナ８ａと第４のアンテナ８ｂとを有する。例えば第１のアンテナ２ａと第２のアンテナ２ｂは偏波が同様になるように設置されており、第１のアンテナ２ａおよび第２のアンテナ２ｂは動作している際、相関の高い信号を受信または送信可能であるように配置されている。
【００１３】
例えば、無線通信を行うために使用される電波の波長をλとすると、アンテナ間の距離がλ／２以下となる距離で配置されている。また、第２のアンテナグループ８に属する第３のアンテナ８ａと第４のアンテナ８ｂの配置も、上述をもって説明した第１のアンテナ２ａと第２のアンテナ２ｂの配置と同様である。
【００１４】
なお、各アンテナグループ内の互いのアンテナの配置は、λ／２以下となる距離に限定されない。各グループ内のアンテナ同士が、高い相関の信号を得ることが可能であれば、λ／２よりも大きくても小さくてもよい。
【００１５】
第１のアンテナグループ２と第２のアンテナグループ８との距離は、アンテナグループ間において低い相関の信号が得られるように配置されている。
【００１６】
例えば、無線通信を行うために使用される電波の波長をλとすると、アンテナグループ間の距離がλ／２以上となる距離で配置されている。
【００１７】
なお、アンテナグループ同士の配置は、λ／２以上となる距離に限定されない。各アンテナグループ同士が、低い相関の信号を得ることが可能であれば、λ／２よりも大きくても小さくてもよい。さらに、第１のアンテナグループ２と第２のアンテナグループ８のアンテナは、直行偏波となるように配置されていてもよい。
【００１８】
第１のアンテナグループ２に属する第２のアンテナ２ｂまたは第２のアンテナグループ８に属する第４のアンテナ８ｂで受信された電波は、第１のスイッチ３を介して第１の受信部４にて検波される。同様に、第１のアンテナグループ２に属する第１のアンテナ２ａまたは第２のアンテナグループ８に属する第３のアンテナ８ａで受信された電波は、第２のスイッチ９を介して第２の受信部１０にて検波される。
【００１９】
第１の受信部４にて検波された電波によって表される受信信号は、第１の受信レベル検出部６にて、受信信号の受信レベル（以下、第１の受信レベルと称す。）を検出される。同様に、第２の受信部１０にて検波された電波によって表される受信信号は、第２の受信レベル検出部１２にて、受信信号の受信レベル（以下、第２の受信レベルと称す。）を検出される。
【００２０】
第１の受信レベル検出部６および第２の受信レベル検出部１２にて検出された第１の受信レベルおよび第２の受信レベルは切替制御部７に入力される。切替制御部７は入力された各受信レベルの値に基づいて第１のスイッチ３および第２のスイッチ９を制御する。
【００２１】
第１の受信部４にて検波された電波によって表される受信信号は、第１の位相器５にて位相の調整が行われる。同様に、第２の受信部１０にて検波された電波によって表される受信信号は、第１の位相器５にて調整された位相に基いて、第２の位相器１１にて位相の調整が行われる。第１の位相器５および第２の位相器にて行われる位相の調整は、例えば第１の受信部４にて検波された電波によって表される受信信号と第２の受信部１０にて検波された電波によって表される受信信号との位相が同位相になるように調整される。
【００２２】
第１の位相器５および第２の位相器１１にて位相の調整がなされた各受信信号は合成器１３に入力される。合成器１３は入力された各受信信号を合成する。
【００２３】
合成器１３にて各受信信号を合成することで生成された信号は信号処理部１４に入力される。信号処理部１４は入力された信号を復調処理する。また、信号処理部１４は送信信号を生成し、生成した送信信号を送信部１５に出力する。さらに、信号処理部１４は受信動作と送信動作との切替制御を行う。そして、信号処理部１４は受信動作と送信動作との切替制御を行うために、切替制御部７に対して第１のスイッチ３、第２のスイッチ９および第３のスイッチ１６の切替制御を行わせる。
【００２４】
信号処理部１４から出力された送信信号は送信部１５に入力される。送信部１５は送信信号を高周波の送信信号に変換する。変換することで生成された高周波の送信信号は第１のアンテナグループ１に属するアンテナまたは第２のアンテナグループに属するアンテナを通じて送信される。次に、ダイバシティアンテナ装置１によって行われるデータ送受信タイミング等を説明する。
【００２５】
図２は、ダイバシティアンテナ装置１によって行われるデータ送受信動作およびアンテナの切替動作等を説明するタイムチャートである。ここで、便宜上、ＩＥＥＥ８０２．１１方式で使用されるＣＳＭＡ／ＣＡ方式に従って無線通信を行う場合に則して説明する。
【００２６】
図２において、データ受信期間ｆ１、ｆ３、ｆ５はデータフレームを受信する期間を表す。また、ＡＣＫ（Ａｃｋｎｏｗｌｅｄｇｅｍｅｎｔ）送信期間ｆ２、ｆ４、ｆ６はデータフレームを正常に受信したことを通信相手に知らせるために使用されるＡＣＫフレームを送信する期間を表す。データ受信期間とＡＣＫ送信期間との間にはフレームの送受信が行われないフレーム期間が設けられる。
【００２７】
データ受信期間に行われるデータフレームの受信およびＡＣＫ送信期間に行われるＡＣＫフレームの送信の制御は、ダイバシティアンテナ装置１における信号処理部１４にて行われる。信号処理部１４は、ダイバシティアンテナ装置１の有するアンテナの切替動作とデータフレームの受信およびＡＣＫフレームの送信動作とを同期させるように切替制御部７を制御する。従って、フレームの送受信が行われていないフレーム期間においてアンテナ切替を行うことが可能となり、その結果、アンテナの切替によって生じる雑音を低減することが可能となる。
【００２８】
ダイバシティアンテナ装置１は、アンテナを介してデータフレームの受信を開始することでデータ受信期間ｆ１に移行する。データ受信期間ｆ１において、ダイバシティアンテナ装置１は、図１を用いて説明した第１のアンテナグループ２に属する第１のアンテナ２ａおよび第２のアンテナ２ｂの使用、または第２のアンテナグループ８に属する第３のアンテナ８ａおよび第４のアンテナ８ｂの使用を行うことで、通信相手からフレームを受信する。データフレームの受信を開始後、ダイバシティアンテナ装置１における切替制御部７にて、第１のアンテナグループ２または第２のアンテナグループ８の何れかのアンテナグループに属するアンテナ群を使用することで受信された電波の受信レベルが検出され、ダイバシティアンテナ装置１は第１のレベル検出ルーチン実行期間（ｐｅｒｉ１）に移行する。
【００２９】
データ受信期間ｆ１の終了後、フレーム期間（ｐｅｒｉ２）に移行する。ダイバシティアンテナ装置１はフレーム期間（ｐｅｒｉ２）においてアンテナ切替を実行する。フレーム期間（ｐｅｒｉ２）の終了後、ダイバシティアンテナ装置１は、ＡＣＫフレームの送信を開始することでＡＣＫ送信期間ｆ２に移行する。ＡＣＫフレーム送信を開始することで、送信ルーチンの実行が開始され、ダイバシティアンテナ装置１は送信ルーチン実行期間（ｐｅｒｉ３）に移行する。
【００３０】
ＡＣＫ送信期間ｆ２の終了後、フレーム期間（ｐｅｒｉ４）に移行する。ダイバシティアンテナ装置１はフレーム期間（ｐｅｒｉ４）においてアンテナ切替を実行する。フレーム期間（ｐｅｒｉ４）において、アンテナ切替が実行された後、ダイバシティアンテナ装置１の受信状態が次に説明する状態であるならば、第２のレベル検出ルーチンの実行が開始され、第２のレベル検出ルーチン実行期間（ｐｅｒｉ５）に移行する。
【００３１】
上記、次に説明するダイバシティアンテナ装置１の受信状態とは、
（１）第１のレベル検出ルーチン実行期間（ｐｅｒｉ１）において、使用中のアンテナグループに属する２つのアンテナによって受信された夫々の電波を検出することで求められる２つの受信レベルの値の両方とも、もしくは何れか一つが、受信レベルの所定値よりも小さい受信状態、または、
（２）該２つの受信レベルの値が共に受信レベルの所定値よりも大きいが後述にて説明するカウンタの値が所定のカウンタの値を越えた受信状態である。
【００３２】
ダイバシティアンテナ装置１が、このような（（１）または（２））受信状態の場合、第２のレベル検出ルーチンの実行が開始され、図１を用いて説明した第１のスイッチ３の切替を行う。ここで、第１のスイッチ３の切替動作は、フレーム期間（ｐｅｒｉ４）であるとともに第２のレベル検出ルーチン実行期間（ｐｅｒｉ５）である期間に行われる。つまり、データ受信期間ｆ３が開始される前に、第１のスイッチ３の切替が実行される。
【００３３】
ダイバシティアンテナ装置１は、フレーム期間（ｐｅｒｉ４）において第１のスイッチ３の切替動作を行った後、データフレームの受信を開始することでデータ受信期間ｆ３に移行し、ダイバシティアンテナ装置１における切替制御部７にて、第１のアンテナグループ２に属するアンテナにて受信された電波を検出することで求められる受信レベルの値と第２のアンテナグループ８に属するアンテナにて受信された電波を検出することで求められる受信レベルの値とを比較する。
【００３４】
比較の結果、第１のアンテナグループ２に属するアンテナにて受信された電波を検出することで求められる受信レベルの値のほうが第２のアンテナグループ８に属するアンテナにて受信された電波を検出することで求められる受信レベルの値よりも大きい場合、第２のレベル検出ルーチンは終了する。
【００３５】
一方、第１のアンテナグループ２に属するアンテナにて受信された電波を検出することで求められる受信レベルの値のほうが第２のアンテナグループ８に属するアンテナにて受信された電波を検出することで求められる受信レベルの値よりも小さい場合、ダイバシティアンテナ装置１はデータ受信が終了するのを待ち、フレーム期間（ｐｅｒｉ６）が終了するまでの間にアンテナ切替を実行する。
【００３６】
フレーム期間（ｐｅｒｉ６）の終了後、ダイバシティアンテナ装置１は、ＡＣＫフレームの送信を開始することでＡＣＫ送信期間ｆ４に移行する。ＡＣＫフレーム送信を開始することで、送信ルーチンの実行が開始され、ダイバシティアンテナ装置１は送信ルーチン実行期間（ｐｅｒｉ７）に移行する。
【００３７】
ＡＣＫ送信期間ｆ４の終了後、フレーム期間（ｐｅｒｉ８）に移行する。ダイバシティアンテナ装置１はフレーム期間（ｐｅｒｉ８）においてアンテナ切替を実行する。フレーム期間（ｐｅｒｉ８）において、アンテナ切替が実行された後、データ受信期間ｆ５に移行する。次に、本発明の第１の実施形態に係るダイバシティアンテナ装置１の動作である、受信時の動作、第１のレベル検出ルーチンの動作、第２のレベル検出ルーチンの動作および送信時の動作を順に説明する。
【００３８】
図３は、受信時の動作手順を説明するフローチャートである。
【００３９】
ダイバシティアンテナ装置１において受信が開始されると、フラグＡが立っているか否かを確認する（ステップ  Ｓ１０１）。このフラグＡは後述で説明する第１のレベル検出ルーチンの動作における受信レベルの値およびカウンタの値等に基づいて制御される。フラグＡが立っている場合（ステップ  Ｓ１０１  Ｙｅｓ）、第２のレベル検出ルーチンに移行する（ステップ  Ｓ１０２）。一方、フラグＡが立っていない場合（ステップ  Ｓ１０１  Ｎｏ）、第１のレベル検出ルーチンに移行する（ステップ  Ｓ１０３）。次に、第１のレベル検出ルーチンについて説明する。
【００４０】
図４は、第１のレベル検出ルーチンを説明するフローチャートである。
【００４１】
第１の受信レベル検出部６および第２の受信レベル検出部は夫々、第１の受信部４および第２の受信部１０にて受信された受信信号の受信レベルを検出する（ステップ  Ｓ１０４）。第１の受信部４および第２の受信部１０に入力される電波は、第１のアンテナグループ２に属するアンテナ群または第２のアンテナグループに属するアンテナ群の何れかのアンテナ群によって受信された電波である。検出された第１の受信レベルの値および第２の受信レベルの値は切替制御部７に入力され、切替制御部７は第１の受信レベルの値、第２の受信レベルの値、および所定の信号レベル値を比較する（ステップ  Ｓ１０５）。なお、この所定の信号レベル値は、ダイバシティアンテナ装置１が設置される環境に応じて変更することが可能である。
【００４２】
検出された第１の受信レベルの値および第２の受信レベルの値の何れかの値または両方の値が所定の信号レベル値よりも小さい場合（ステップ  Ｓ１０６  Ｙｅｓ）、フラグＡが立てられ（ステップ  Ｓ１０７）カウンタの値が初期化される（ステップ  Ｓ１０８）。フラグＡをたてることは、第１のアンテナグループ２に属するアンテナによって受信された電波の受信レベル値と第２のアンテナグループ８に属するアンテナによって受信された電波の受信レベル値とを比較する状態にあることを意味する。
【００４３】
その後、受信期間が終了したか否かを確認する（ステップ  Ｓ１０９）。受信期間が終了した場合（ステップ  Ｓ１０９  Ｙｅｓ）、第２のスイッチ９および第３のスイッチ１６夫々の切替動作を行う（ステップ  Ｓ１１０）。つまり、第２のスイッチ９および第３のスイッチ１６において、端子Ａの位置にスイッチがある場合、端子Ｂの位置へとスイッチを切替え、端子Ｂの位置にスイッチがある場合、端子Ａの位置にスイッチを切替える。
【００４４】
一方、検出された第１の受信レベルの値および第２の受信レベルの値の両方とも所定の信号レベル値よりも大きい場合、カウンタの値を一つ増加させる（ステップ  Ｓ１１１）。さらに、カウンタの値が所定の値を超えた場合（ステップ  Ｓ１１２  Ｙｅｓ）ステップＳ１０７へ移行する。カウンタの値を一つ増加させることは、第１のアンテナグループ２または第２のアンテナグループ８に属するアンテナ群によって受信された電波の受信レベル値が所望の受信レベル値に達していることを確認したことを意味する。次に、第２のレベル検出ルーチンについて説明する。
【００４５】
図５は、第２のレベル検出ルーチンを説明するフローチャートである。
【００４６】
前述の第１のレベル検出ルーチンを説明したフローチャートにおけるステップＳ１０７にて立てられたフラグＡを倒す（ステップ  Ｓ１１３）。次に、第１のスイッチ３の切替動作を行う（ステップ  Ｓ１１４）。つまり、第１のスイッチ３において、端子Ａの位置にスイッチがある場合、端子Ｂの位置へとスイッチを切替え、端子Ｂの位置にスイッチがある場合、端子Ａの位置にスイッチを切替える。第１のスイッチ３の切替動作を行うことで、第１のアンテナグループ２に属するアンテナの受信する電波の受信レベル値と第２のアンテナグループ８に属するアンテナの受信する電波の受信レベル値とを比較することが可能な状態となる。
【００４７】
第１のスイッチ３の切替動作後、ダイバシティアンテナ装置１において受信動作が開始されると（ステップ  Ｓ１１５  Ｙｅｓ）、第１の受信レベル検出部６および第２の受信レベル検出部１２は夫々、第１の受信部４および第２の受信部１０にて受信された受信信号の受信レベルを検出する（ステップ  Ｓ１１６）。検出された第１の受信レベルの値および第２の受信レベルの値は切替制御部７に入力され、切替制御部７は第１の受信レベルの値と第２の受信レベルの値とを比較する（ステップ  Ｓ１１７）。
【００４８】
切替制御部７にて第１の受信レベルの値と第２の受信レベルの値とを比較した結果、第１の受信レベルの値が第２の受信レベルの値よりも大きい、または第１の受信レベルの値と第２の受信レベルの値とが等しい場合（ステップ  Ｓ１１８  ｎｏ）、第２のレベル検出ルーチンは終了する。一方、第１の受信レベルの値が第２の受信レベルの値よりも小さい場合、受信動作の終了後（ステップ  Ｓ１１９  Ｙｅｓ）、第１のスイッチ３、第２のスイッチ９および第３のスイッチ１６の切替動作を行う（ステップ  Ｓ１２０）。つまり、第１のスイッチ３、第２のスイッチ９および第３のスイッチ１６において、端子Ａの位置にスイッチがある場合、端子Ｂの位置へとスイッチを切替え、端子Ｂの位置にスイッチがある場合、端子Ａの位置にスイッチを切替える。次に、送信時の動作手順を説明する。
【００４９】
図６は、送信時の動作手順を説明するフローチャートである。
【００５０】
ダイバシティアンテナ装置１からフレーム送信が開始された後、フレーム送信が終了すると（ステップ  Ｓ１２１  Ｙｅｓ）、第２のスイッチ９および第３のスイッチ１６の切替動作を行う（ステップ  Ｓ１２２）。次に、本発明に係るダイバシティアンテナ装置１において行われるスイッチ切替動作を具体的に説明する。
【００５１】
図７は、スイッチの端子の状態を表す第１の表である。第１の表を参照することでスイッチの切替動作を具体的に説明する。
【００５２】
ダイバシティアンテナ装置１は、フレーム受信開始時において、第１のスイッチ３および第２のスイッチ９は端子Ａに位置し、第３のスイッチ１６は端子Ｂに位置する（図７におけるｓｔａ１）。つまり、第１の受信部４には第１のアンテナグループ２に属する第２のアンテナ２ｂによって受信される信号が入力され、第２の受信部１０には第１のアンテナグループ２に属する第１のアンテナ２ａによって受信される信号が入力される。第１のアンテナ２ａおよび第２のアンテナ２ｂを用いてフレームの受信開始後、第１の受信レベル検出部６および第２の受信レベル検出部７において受信レベル検出が行われる。
【００５３】
ここで、切替制御部７にて、第１の受信レベルの値または第２の受信レベルの値が所定の受信レベル値よりも小さいと判断されたとする。すると前述にて説明した第１の受信レベル検出ルーチンのステップＳ１１０の処理内容に基づいて、フレーム受信終了後に第２のスイッチ９と第３のスイッチ１６の切替動作を行う。つまり、第２のスイッチ９を端子Ａの位置から端子Ｂの位置へと切替え、第３のスイッチ１６を端子Ｂの位置から端子Ａの位置へと切替える（図７におけるｓｔａ２）。この切替動作によって、第２の受信部１０には第２のアンテナグループ８に属する第３のアンテナ８ａによって受信される信号が入力され、通信相手に送信されるフレームは第１のアンテナグループ２に属する第１のアンテナ２ａを介して送信される。
【００５４】
次に、ダイバシティアンテナ装置１は通信相手に対しフレームの送信を行う。通信相手に送信されるフレームは第１のアンテナ２ａを介して送信される。フレーム送信終了後、前述にて説明した送信時の動作手順に従って、第２のスイッチ９と第３のスイッチ１６の切替動作を行う。つまり、第２のスイッチ９を端子Ｂの位置から端子Ａの位置へと切替え、第３のスイッチ１６を端子Ａの位置から端子Ｂの位置へと切替える（図７におけるｓｔａ３）。この切替動作によって、第２の受信部１０には第１のアンテナグループ２に属する第１のアンテナ２ａによって受信される信号が入力され、通信相手に送信されるフレームは第２のアンテナグループ８に属する第３のアンテナ８ａを介して送信される。
【００５５】
さて、第１の受信レベル検出ルーチンおいて、切替制御部７は第１の受信レベルの値または第２の受信レベルの値が所定の受信レベル値よりも小さいと判断している。従って、第１の受信レベル検出ルーチンにおいてフラグＡが立てられているので、第２の受信レベル検出ルーチンのステップＳ１１４の処理内容に基づいて第１のスイッチ３の切替動作を行う。この切替動作によって第１のスイッチ３を端子Ａの位置から端子Ｂの位置へと切替える（図７におけるｓｔａ４）。第１のスイッチ３の切替動作後、第１の受信部４には第２のアンテナグループ８に属する第４のアンテナ８ａによって受信される信号が入力される。
【００５６】
第１のスイッチ３の切替を行った後、切替制御部７は、第２のアンテナグループ８に属する第３のアンテナ８ａによって受信され第１の受信部４に入力される信号に基く第１の受信レベルの値と第１のアンテナグループ２に属する第１のアンテナ２ａによって受信され第２の受信部１０に入力される信号に基く第２の受信レベルの値とを比較する。
【００５７】
切替制御部７にて第１の受信レベルと第２の受信レベルとを比較した結果、第１の受信レベルの値が第２の受信レベルの値よりも大きい場合、つまり、第１のアンテナグループ２に属する第１のアンテナ２ａを用いて受信した電波の受信レベルの値に比べて第２のアンテナグループ８に属する第４のアンテナ８ｂを用いて受信した電波の受信レベルの値のほうが大きい場合、フレームの受信動作後、フレームの送信動作に移行する（図７におけるｓｔａ５）。
【００５８】
フレームの送信時において、第３のスイッチ１６は端子Ｂの位置にあるので、送信されるフレームは第２のアンテナグループ８に属する第３のアンテナ８ａを介して送信される。フレーム送信終了後、前述にて説明した送信時の動作手順に従って、第２のスイッチ９と第３のスイッチ１６の切替動作を行う。つまり、第２のスイッチ９を端子Ａの位置から端子Ｂの位置へと切替え、第３のスイッチ１６を端子Ｂの位置から端子Ａの位置へと切替える（図７におけるｓｔａ６）。この切替動作によって、第２の受信部１０には第２のアンテナグループ８に属する第３のアンテナ８ａによって受信される信号が入力され、通信相手に送信されるフレームは第１のアンテナグループ２に属する第１のアンテナ２ａを介して送信される。
【００５９】
フレーム送信終了後に第２のスイッチ９および第３のスイッチの切替動作を行うことで、第１の受信部４には第２のアンテナグループ８に属する第４のアンテナ８ｂによって受信される信号が入力され、第２の受信部１０には第２のアンテナグループ８に属する第３のアンテナ８ａによって受信される信号が入力される。従って、第１のアンテナグループ２と比較して、所望の受信レベル値を得られる可能のある、第２のアンテナグループに属するアンテナを使用することが可能となる。
【００６０】
図８は、スイッチの端子の状態を表す第２の表である。図８に表される第２の表は、図７を用いて説明したスイッチの端子の状態において、切替制御部７にて第１の受信レベルと第２の受信レベルとを比較した結果、第１の受信レベルの値が第２の受信レベルの値よりも小さい場合、つまり、第１のアンテナグループ２に属する第１のアンテナ２ａを用いて受信した電波の受信レベルの値に比べて第２のアンテナグループ８に属する第４のアンテナ８ｂを用いて受信した電波の受信レベルの値のほうが小さい場合を説明する。
【００６１】
この場合、前述にて説明した第２のレベル検出ルーチンのステップＳ１２０の処理内容に基づいて、フレーム受信終了後に第１のスイッチ３、第２のスイッチ９および第３のスイッチ１６の切替動作を行う。つまり、第１のスイッチ３を端子Ｂの位置から端子Ａの位置へと切替え、第２のスイッチ９を端子Ａの位置から端子Ｂの位置へと切替え、第３のスイッチ１６を端子Ｂの位置から端子Ａの位置へと切替える（図８におけるｓｔａ７）。第１乃至第３のスイッチの端子の位置の切替え後、フレームの送信が行われる。
【００６２】
フレームの送信時において、第３のスイッチ１６は端子Ａの位置にあるので、送信されるフレームは第１のアンテナグループ２に属する第１のアンテナ２ａを介して送信される。フレーム送信終了後、前述にて説明した送信時の動作手順に従って、第２のスイッチ９と第３のスイッチ１６の切替動作を行う。つまり、第２のスイッチ９を端子Ｂの位置から端子Ａの位置へと切替え、第３のスイッチ１６を端子Ａの位置から端子Ｂの位置へと切替える（図７におけるｓｔａ８）。この切替動作によって、第２の受信部１０には第１のアンテナグループ２に属する第１のアンテナ２ａによって受信される信号が入力され、通信相手に送信されるフレームは第２のアンテナグループ８に属する第１のアンテナ８ａを介して送信される。
【００６３】
図９は、スイッチの端子の状態を表す第３の表である。図１０は、スイッチの端子の状態を表す第４の表である。図９および図１０の表は、フレーム受信開始時において、第１のスイッチ３および第２のスイッチ９が端子Ｂに位置する場合を説明している。
【００６４】
さらに、図９の表は、前述にて説明した第２のレベル検出ルーチンにおける受信レベル比較時において、第１の受信レベル検出器において検出された受信レベルの値のほうが第２の受信レベル検出器において検出された受信レベルの値よりも大きい場合を説明しており、図１０の表は、前述にて説明した第２のレベル検出ルーチンにおける受信レベル比較時において、第１の受信レベル検出器において検出さらた受信レベルの値のほうが第２の受信レベル検出器において検出された受信レベルの値よりも小さい場合を説明している。
【００６５】
図９および図１０の表で表されるスイッチの端子の状態の変化、つまりスイッチ制御の内容は、図７および図８を用いて説明したスイッチ制御の端子Ａと端子Ｂとを入れ替えた内容である。次に、本発明における第２の実施形態を説明する。
【００６６】
図１１は、本発明の第２の実施の形態に係るダイバシティアンテナ装置の構成を示すシステムブロック図である。
【００６７】
図１を用いて説明した第１の実施形態に係るダイバシティアンテナ装置１のシステム構成と図１１を用いて説明する第２の実施形態に係るダイバシティアンテナ装置１９のシステム構成との相違点は、第１の受信部２２に第１の受信レベル検出部２３を接続し、第２の受信部２８に受信レベル検出部を接続しない点である。
【００６８】
第２の実施形態に係るダイバシティアンテナ装置１９は、第１の実施形態に係るダイバシティアンテナ装置１が行う受信時の動作（図３を用いて説明）、第１のレベル検出ルーチン（図４を用いて説明）および送信時の動作（図６を用いて説明）と同様の動作を行う。第２の実施形態に係るダイバシティアンテナ装置１９が実施する第２のレベル検出ルーチンは第１の実施形態に係るダイバシティアンテナ装置１が実施する第２のレベル検出ルーチンと異なるので、第２の実施形態に係るダイバシティアンテナ装置１９が実施する第２のレベル検出ルーチンを次に説明する。
【００６９】
図１２は、ダイバシティアンテナ装置１９が行う第３のレベル検出ルーチンを説明するフローチャートである。図１３は、ダイバシティアンテナ装置１９が行う第４のレベル検出ルーチンを説明するフローチャートである。以下、図１２および図１３を参照して、第２の実施形態に係る第３のレベル検出ルーチンおよび第４のレベル検出ルーチンを説明する。
【００７０】
ダイバシティアンテナ装置１９は後述にて説明するフラグＢが立っているか否かを確認する（ステップ  Ｓ１３０）。フラグＢが立っていない場合、図１１に示される第１のスイッチ２１の端子は端子Ａに位置される（ステップ  Ｓ１３１）。つまり、第１のアンテナグループ２０に属する第２のアンテナ２０ｂによって受信される信号が第１の受信部２２に入力される。
【００７１】
第１のスイッチ２１の端子の位置を端子Ａに位置させた後、ダイバシティアンテナ装置１において受信動作が開始されると（ステップ  Ｓ１３２  Ｙｅｓ）、第１の受信レベル検出部２３は第１の受信部２２にて受信された受信信号の受信レベルを検出する（ステップ  Ｓ１３３）。第１の受信レベル検出部２３にて検出された、第２のアンテナ２０ｂによって受信される信号の受信レベルの値ＤＡＴＡ１はメモリ（図示せず）に記憶される（ステップ  Ｓ１３４）。
【００７２】
ＤＡＴＡ１がメモリに記憶された後、フラグＢが立てられる。フラグＢをたてることは、第１のアンテナグループ２０に属するアンテナによって受信された電波の受信レベル値が記憶され、第２のアンテナグループ２５に属するアンテナによって受信された電波の受信レベル値を記憶する動作に移行することを意味する（ステップ  Ｓ１３５）。
【００７３】
受信動作の終了後（ステップ  Ｓ１３６  Ｙｅｓ）、第１のスイッチ２１、第２のスイッチ２６の切替動作を行う（ステップ  Ｓ１３７）。つまり、第１のスイッチ２１、第２のスイッチ２６において、端子Ａの位置にスイッチがある場合、端子Ｂの位置へとスイッチを切替え、端子Ｂの位置にスイッチがある場合、端子Ａの位置にスイッチを切替える。
【００７４】
一方、ダイバシティアンテナ装置１９はフラグＢが立っているか否かを確認し、フラグＢが立っている場合（ステップ  Ｓ１３０  Ｙｅｓ）、フラグＡおよびフラグＢを倒す（ステップ  Ｓ１３８）。フラグＡおよびフラグＢを倒した後、図１１に示される第１のスイッチ２１の端子は端子Ｂに切替えられる（ステップ  Ｓ１３９）。つまり、第２のアンテナグループ２５に属する第４のアンテナ２５ｂによって受信される信号が第１の受信部２２に入力される。
【００７５】
第１のスイッチ２１の端子の位置を端子Ｂに切替えられた後、ダイバシティアンテナ装置１において受信動作が開始されると（ステップ  Ｓ１４０  Ｙｅｓ）、第１の受信レベル検出部２３は第１の受信部２２にて受信された受信信号の受信レベルを検出する（ステップ  Ｓ１４１）。第１の受信レベル検出部２３にて検出された、第４のアンテナ２５ｂによって受信される信号の受信レベルの値ＤＡＴＡ２はメモリ（図示せず）に記憶される（ステップ  Ｓ１４２）。
【００７６】
切替制御部２４は、メモリに記憶されているＤＡＴＡ１とＤＡＴＡ２の値を比較する（ステップ  Ｓ１４３）。
【００７７】
ＤＡＴＡ１の方がＤＡＴＡ２よりも大きい場合（ステップ  Ｓ１４４  Ｙｅｓ）、つまり、第２のアンテナ２０ｂによって受信される信号の受信レベルの値が第４のアンテナ２５ｂによって受信される信号の受信レベルの値よりも大きい場合、受信動作の終了後（ステップ  Ｓ１４５  Ｙｅｓ）、第１のスイッチ２１、第２のスイッチ２６および第３のスイッチ３２の位置を次のようにする。第１のスイッチ２１は端子Ｂの位置から端子Ａの位置へと変更し、第２のスイッチ２６は端子Ａの位置から端子Ｂの位置へと変更し、第３のスイッチ３２は端子Ｂの位置から端子Ａの位置へと変更する（ステップ  Ｓ１４６）。
【００７８】
一方、ＤＡＴＡ２の方がＤＡＴＡ１よりも大きい場合（ステップ  Ｓ１４４  Ｎｏ）、つまり、第４のアンテナ２５ｂによって受信される信号の受信レベルの値が第２のアンテナ２０ｂによって受信される信号の受信レベルの値よりも大きい場合、受信動作の終了後（ステップ  Ｓ１４７  Ｙｅｓ）、第１のスイッチ２１、第２のスイッチ２６および第３のスイッチ３２の端子の位置を次のような位置にする。第１のスイッチ２１の端子の位置は端子Ｂの位置にし、第２のスイッチ２６の端子の位置は端子Ａの位置にし、第３のスイッチ３２の端子の位置は端子Ｂの位置にする（ステップ  Ｓ１４８）。
【００７９】
図１４は、ダイバシティアンテナ装置１９によって行われるデータ送受信動作およびアンテナの切替動作等を説明するタイムチャートである。
【００８０】
図２を用いて説明した第１の実施形態に係るダイバシティアンテナ装置１によって行われるデータ送受信動作等を説明するタイムチャートと図１４を用いて説明する第２の実施形態に係るダイバシティアンテナ装置１９によって行われるデータ送受信等を説明するタイムチャートとの相違点は、第２の実施形態に係るダイバシティアンテナ装置１９は受信レベル検出ルーチンの実行を２回行う点である。
【００８１】
ダイバシティアンテナ装置１９は期間ｐｅｒｉ１０において図１２を用いて説明した第３の受信レベル検出ルーチンを実行し、期間ｐｅｒｉ１１において第４の受信レベル検出ルーチンを実行する。次に、本発明の第３の実施形態について説明する。
【００８２】
図１５は、本発明の第３の実施形態に係るダイバシティアンテナ装置の構成を示すシステムブロック図である。
【００８３】
図１を用いて説明した第２の実施形態に係るダイバシティアンテナ装置１９のシステム構成と図１５を用いて説明する第３の実施形態に係るダイバシティアンテナ装置３３のシステム構成との相違点は、第３の実施形態に係るダイバシティアンテナ装置３３の第１の受信部３６および第２の受信部４１の夫々に位相器が接続されていない点である。
【００８４】
第１のアンテナグループ３４に属する第１のアンテナ３４ａと第２のアンテナ３４ｂとは互いに高い相関の信号が得られるように配置されており、また、第２のアンテナグループ３９に属する第３のアンテナ３９ａと第４のアンテナ３９ｂはとは互いに高い相関の信号が得られるように配置されている。
【００８５】
ダイバシティアンテナ装置１９が、同じアンテナグループに属するともに、互いに相関の高い信号を得ることが可能な２つのアンテナを用いて電波を受信する場合、受信されたこれらの電波の信号同士の位相差は小さいものとみなすことが可能である。従って、ダイバシティアンテナ装置３３の第１の受信部３６および第２の受信部４１の夫々から出力される受信信号を位相器にて位相調整しなくてもよい。
【００８６】
なお、本発明に係るダイバシティアンテナ装置３３は、例えば情報処理装置やテレビといった電子機器に搭載することが可能である。
【００８７】
さらに、本発明は上記実施形態をそのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示されている全構成要素から幾つかの構成要素を削除してもよい。さらに、異なる実施形態にわたる構成要素を適宜組み合わせてもよい。
【図面の簡単な説明】
【００８８】
【図１】本発明の第１の実施の形態に係るダイバシティアンテナ装置の構成を示すシステムブロック図。
【図２】ダイバシティアンテナ装置１によって行われるデータ送受信動作およびアンテナの切替動作等を説明するタイムチャート。
【図３】受信時の動作手順を説明するフローチャート。
【図４】第１のレベル検出ルーチンを説明するフローチャート。
【図５】第２のレベル検出ルーチンを説明するフローチャート。
【図６】送信時の動作手順を説明するフローチャート。
【図７】スイッチの端子の状態を表す第１の表。
【図８】スイッチの端子の状態を表す第２の表。
【図９】スイッチの端子の状態を表す第３の表。
【図１０】スイッチの端子の状態を表す第４の表。
【図１１】本発明の第２の実施の形態に係るダイバシティアンテナ装置の構成を示すシステムブロック図。
【図１２】第２の実施の形態に係るダイバシティアンテナ装置が行う第３のレベル検出ルーチンを説明するフローチャート
【図１３】第２の実施の形態に係るダイバシティアンテナ装置が行う第４のレベル検出ルーチンを説明するフローチャート。
【図１４】第２の実施の形態に係るダイバシティアンテナ装置によって行われる動作等を説明するタイムチャート。
【図１５】本発明の第３の実施形態に係るダイバシティアンテナ装置の構成を示すシステムブロック図。
【符号の説明】
【００８９】
１…ダイバシティアンテナ装置、２…第１のアンテナグループ、
３…第１のスイッチ、４…第１の受信部、５…第１の位相器、
６…第１の受信レベル検出部、７…切替制御部、
８…第２のアンテナグループ、９…第２のスイッチ、１０…第２の受信部、
１１…第２の位相器、１２…第２の受信レベル検出部、１３…合成器、
１４…信号処理部、１５…送信部、１６…第３のスイッチ、
【図１】
2005167371.tif 000003
【図２】
2005167371.tif 000004
【図３】
2005167371.tif 000005
【図４】
2005167371.tif 000006
【図５】
2005167371.tif 000007
【図６】
2005167371.tif 000008
【図７】
2005167371.tif 000009
【図８】
2005167371.tif 000010
【図９】
2005167371.tif 000011
【図１０】
2005167371.tif 000012
【図１１】
2005167371.tif 000013
【図１２】
2005167371.tif 000014
【図１３】
2005167371.tif 000015
【図１４】
2005167371.tif 000016
【図１５】
2005167371.tif 000017